(57)【要約】【課題】逆回転可能なファンを用いることなく、簡易な方法でエアフィルタの寿命を延長させるようにした投写型映像表示装置を提供すること。【解決手段】本発明に係る投写型映像表示装置は、本体１の外部から冷却空気を吸入する吸気口１１と、機内空気を排気する排気口１２と、吸気口１１と排気口１２とに連通するように両者に跨って対面するように配置された、空気通過面を円形とするエアフィルタ８と、エアフィルタ８の機内側を吸気側と排気側とに仕切る仕切壁１３とを備えている。また、エアフィルタ８は、円形の空気通過面の中心を回転中心として、吸気口１１と排気口１２とにまたがった状態で回転するように形成されている。これにより、エアフィルタ８の吸気側では冷却空気中の塵埃が捕捉され、エアフィルタ８の排気側では、捕捉された塵埃が排気により吹き飛ばされて除去される。【選択図】図５
2013088478.tif 000002
【特許請求の範囲】
【請求項１】
光学系部品を収納する本体と、
本体の外部から冷却空気を吸入する吸気口と、
この吸気口に隣接して形成された、機内空気を排気する排気口と、
吸気口と排気口とに連通するように両者に跨って配置された、空気通過面を円形とするエアフィルタと、
本体内の吸気口及び排気口付近を、エアフィルタの吸気側と排気側とに仕切る仕切壁とを有し、
さらに、前記エアフィルタは、円形の空気通過面の中心を回転中心として、吸気口と排気口とに跨って配置された状態で回転するように形成されている
ことを特徴とする投写型映像表示装置。
【請求項２】
請求項１記載の投写型映像表示装置において、
前記エアフィルタの外側に、エアフィルタの吸気側と排気側とを仕切る仕切壁が設けられていることを特徴する投写型映像表示装置。
【請求項３】
請求項１又は２記載の投写型映像表示装置において、
前記エアフィルタは、冷却空気により光学系部品が冷却されている間は、連続的に回転するように構成されている
ことを特徴する投写型映像表示装置。
【請求項４】
請求項１又は２記載の投写型映像表示装置において、
前記エアフィルタは、投写運転停止後のクーリング運転時に連続的に回転するように構成されている
ことを特徴する投写型映像表示装置。
【請求項５】
請求項１又は２記載の投写型映像表示装置において、
前記吸気口と前記排気口とが略同一の大きさに形成され、
前記エアフィルタは、冷却空気により光学系部品を冷却する運転が一定時間経過する毎に１８０度ずつ回転するように構成されている
ことを特徴する投写型映像表示装置。
【請求項６】
請求項１〜５のいずれか１項に記載の投写型映像表示装置において、
前記エアフィルタは、エアフィルタの回転時に、エアフィルタの排気側に付着している塵埃を除去する固定ブラシを備えている
ことを特徴する投写型映像表示装置。
【請求項７】
請求項１〜６の何れか１項に記載の投写型映像表示装置において、
前記エアフィルタと対面するように設けられている排気口以外に、補助排気口が設けられている
ことを特徴する投写型映像表示装置。
【請求項８】
請求項７記載の投写型映像表示装置において、
前記エアフィルタの機内側表面に衝突した空気の内の一部を側方に流して排気する補助排気口を備えている
ことを特徴する投写型映像表示装置。
【請求項９】
請求項１〜８の何れか１項に記載の投写型映像表示装置において、
前記吸気口及び排気口が底面に形成されていることにより、当該投写型映像表示装置が水平な設置面に設置されている場合に、機外空気が底面側から吸入されるとともに、機内空気が底面側へ排出されるように形成されている
ことを特徴する投写型映像表示装置。
【請求項１０】
請求項３記載の投写型映像表示装置において、
冷却空気温度が高くなったときに、冷却ファン及びエアフィルタの回転速度を増速し、逆に、冷却空気温度が低くなったときに、冷却ファン及びエアフィルタの回転速度を減速するように構成されている
ことを特徴する投写型映像表示装置。
【発明の詳細な説明】
【技術分野】
【０００１】
本発明は、投写型映像表示装置に関し、特に、外気を吸入して発熱部を冷却するようにした投写型映像表示装置に関する。
【背景技術】
【０００２】
投写型映像表示装置としては、例えば、３板式液晶型の投写型映像表示装置が知られている。この投写型映像表示装置は、一般に、水銀ランプ等の光源ランプから出射された光を色分離し、色分離された光を液晶光変調装置を用いて光変調して映像光を生成し、この映像光をスクリーン等の投写面に投写するようにしている。しかし、光源ランプは、発熱量が大きいため常に冷却することが必要であり、また、発熱に起因して特性が劣化する恐れのある液晶光変調装置等の光学系部品も冷却が必要とされている。また、この冷却方式として、投写型映像表示装置設置が設置されている室内の空気、すなわち機外空気を吸入し、これを冷却空気として利用している。
【０００３】
したがって、冷却空気として機外空気をそのまま吸入すると、冷却空気に含まれる塵埃が機内に持ち込まれるため、使用時間の経過と共に機内に持ち込まれる塵埃の蓄積量が多くなり、光源ランプ、液晶光変調装置などの光学系部品に悪影響を与える恐れがある。このため、一般に、投写型映像表示装置においては冷却空気を吸入する吸気口にエアフィルタが設けられ、吸入される冷却空気中の塵埃が除去されるように形成されている。
【０００４】
ところが、エアフィルタは、使用されているうちに捕捉された塵埃により目詰まりし、冷却風量が減少して冷却効率が低下する恐れがある。このため、利用者が定期的にエアフィルタを清掃したり、交換したりするメンテナンスが必要とされていた。
【０００５】
従来、このような問題に対処するため、メンテナンスまでの時間を延長させる方策が種々試みられている。
例えば、特許文献１は、機外空気を冷却空気として吸い込む吸気口に円形のエアフィルタを用いたものであって、エアフィルタの一部の面積部分、例えば、四分の一の面積部分のみが吸気口に面するように取り付けられ、円形エアフィルタの四分の一が実効的なエアフィルタとして使用されている。そして、所定時間経過したときや、目詰まりしたときに、円形エアフィルタを９０度ずつ回転させ、これによりエアフィルタを四分の一ずつ目詰まりのない状態で使用可能とすることにより、エアフィルタの寿命を延ばしている。
【０００６】
また、特許文献２は、吸気口に取り付けられたエアフィルタがある程度目詰まりした場合であって、投写型映像表示装置の冷却が不要な状態のときに、冷却ファンを一定時間逆回転させるようにし、エアフィルタに付着した塵埃を風圧で除去するようにしている。
【先行技術文献】
【特許文献】
【０００７】
【特許文献１】特開２００９−２７７９７４号公報
【特許文献２】特開２００６−２６７１５１号公報
【発明の概要】
【発明が解決しようとする課題】
【０００８】
しかしながら、特許文献１に記載されている投写型映像表示装置においては、円形エアフィルタの四分の一ずつの面積を順次使用し、一回転するとエアフィルタを交換しなければならず、大きく寿命を延長させることができないという問題があった。また、特許文献２に記載されている投写型映像表示装置においては、冷却ファンとして逆回転可能なものが必要になるため、冷却ファン選定の自由度が減る上、風量センサなどのエアフィルタの目詰まりを検知する機器も必要としていた。
【０００９】
本発明は、このような従来技術における問題点を解決するものであって、逆回転可能な冷却ファンを用いることなく、簡易な方法でエアフィルタの寿命を延長させるようにした投写型映像表示装置を提供することを目的とする。
【課題を解決するための手段】
【００１０】
請求項１に記載された発明に係る投写型映像表示装置は、光学系部品を収納する本体と、本体の外部から冷却空気を吸入する吸気口と、この吸気口に隣接して形成された、機内空気を排気する排気口と、吸気口と排気口とに連通するように両者に跨って配置された、空気通過面を円形とするエアフィルタと、本体内の吸気口及び排気口付近を、エアフィルタの吸気側と排気側とに仕切る仕切壁とを有し、さらに、前記エアフィルタは、円形の空気通過面の中心を回転中心として、吸気口と排気口とに跨って配置された状態で回転するように形成されていることを特徴とする。
【００１１】
ここで、本明細書において、「排気口」とは、本体の外装筐体に形成された開口部であって外部から冷却空気を吸気する部分をいい、「吸気口」とは、本体の外装筐体に形成された開口部であって機内空気を機外へ排気する部分をいう。そして、両者は独立の開口部として形成されているものがこれに含まれることは勿論であるが、一体に形成されているが、仕切壁等により実質的に区画されているものもこれに含まれる。また、本明細書において、「エアフィルタの吸気側」とは、エアフィルタにおいて吸気が通過する部分をいい、「エアフィルタの排気側」とは、エアフィルタにおいて排気が通過する部分をいう。
【００１２】
このような構成によれば、エアフィルタの吸気側を介し吸気口から吸入された機外空気、すなわち、冷却空気は、機内に設けられた仕切壁によりエアフィルタの排気側へのバイパスが防止され、ダクト等を利用して光学系部品を冷却するように送風される。また、光学系部品を冷却した後の冷却空気は、前記仕切壁によりエアフィルタの吸気側へのバイパスが防止されて排気口に案内される。そして、空気通過面を円形とするエアフィルタの吸気側では、機内に吸い込まれる冷却空気中の塵埃が捕捉されて除去される。また、エアフィルタの排気側では、排気の風圧によりエアフィルタの濾過材に付着している塵埃が機外へ吹き飛ばされる。したがって、このエアフィルタを円形の空気通過面の中心を回転中心として回転させると、エアフィルタの吸気側に塵埃の除去された清掃後のフィルタ部分が連続的に供給されるので、塵埃によるエアフィルタの目詰まりが防止され、エアフィルタの寿命が長期化される。
【００１３】
請求項２記載の発明は、請求項１記載の投写型映像表示装置において、前記エアフィルタの外側に、エアフィルタの吸気側と排気側とを仕切る仕切壁が設けられていることを特徴とする。
【００１４】
このような構成によれば、エアフィルタの排気側から排気される空気が、エアフィルタの吸気側にバイパスされる量が軽減される。したがって、冷却空気の温度を機外空気の温度に近付けることができ、効率よく光学系部品を冷却することができる。
【００１５】
請求項３記載の発明は、請求項１又は２記載の投写型映像表示装置において、前記エアフィルタは、冷却空気により光学系部品が冷却されている間は、連続的に回転するように構成されていることを特徴とする。
【００１６】
このような構成によれば、エアフィルタの吸気側には、塵埃が除去された清掃後のフィルタ部分が連続的に供給されるので、エアフィルタの目詰まりを防止するとともに、冷却空気中に含まれる塵埃を効率よく除去することができる。また、エアフィルタの清掃のための時間、手間が不要になる。
【００１７】
請求項４記載の発明は、請求項１又は２記載の投写型映像表示装置において、前記エアフィルタは、投写運転停止後のクーリング運転時に連続的に回転するように構成されていることを特徴とする。
【００１８】
このような構成によれば、投写型映像表示装置の投写運転終了毎に吸気側のエアフィルタを清掃した状態とすることができるので、投写運転中のエアフィルタの目詰まりを減少させることができる。また、この構成によれば、投写運転中にエアフィルタを回転させる必要がないので、投写運転中の騒音を抑制することができる。
【００１９】
請求項５記載の発明は、請求項１又は２記載の投写型映像表示装置において、前記吸気口と前記排気口とが略同一の大きさに形成され、前記エアフィルタは、冷却空気により光学系部品を冷却する運転が一定時間経過する毎に１８０度ずつ回転するように構成されていることを特徴とする。
【００２０】
このような構成によれば、エアフィルタを一定時間毎に実質的に清掃された状態とすることができるので、投写運転中のエアフィルタの目詰まりを減少させることができる。エアフィルタを常時回転させることがないので、エネルギーを節約することができる。
【００２１】
請求項６記載の発明は、請求項１〜５のいずれか１項に記載の投写型映像表示装置において、前記エアフィルタは、エアフィルタの回転時に、エアフィルタの排気側に付着している塵埃を除去する固定ブラシを備えていることを特徴とする。
【００２２】
このような構成によれば、排気の風圧のみによっては除去することが難しいような塵埃も、エアフィルタの回転時における固定ブラシによる掻き取りと、排気の風圧とが合体されることにより、除去することができる。なお、固定ブラシの位置は、吸気側と排気側との境界部でもよく、その他にはエアフィルタの排気側内に位置するものとしてもよい。
【００２３】
請求項７記載の発明は、請求項１〜６の何れか１項に記載の投写型映像表示装置において、前記エアフィルタと対面するように設けられている排気口以外に、補助排気口が設けられていることを特徴とする。
【００２４】
このような構成によれば、排気口を大きくすることができる。一般に、排気口は、排気ファンの吹出側に形成されており、排気口における空気抵抗が大きくなっている。したがって、冷却空気経路の空気抵抗を減少させるには、排気口を大きくすることが好ましい。そこで、排気口を大きくする方策として補助排気口を設けることもできる。
【００２５】
請求項８記載の発明は、請求項７記載の投写型映像表示装置において、前記エアフィルタの機内側表面に衝突した空気の内の一部を側方に流して排気する補助排気口を備えていることを特徴とする。
【００２６】
このような構成によれば、排気される空気はエアフィルタに衝突し、その後に側方に流して排気することができるような補助排気口を備えているので、補助排気口から排気される空気の風圧をもエアフィルタの排気側における塵埃除去に利用することができる。これにより、排気抵抗を減少させながら塵埃除去効率を向上させることができる。
【００２７】
請求項９記載の発明は、請求項１〜８の何れか１項に記載の投写型映像表示装置において、前記吸気口及び排気口が底面に形成されていることにより、当該投写型映像表示装置が水平な設置面に設置されている場合に、機外空気が底面側から吸入されるとともに、機内空気が底面側へ排出されるように形成されていることを特徴とする。
【００２８】
このような構成によれば、投写型映像表示装置の底面に吸気口、排気口及びエアフィルタが設けられているので、吸気口、排気口及びエアフィルタを大きくすることができる。また、上面、側面などには従来のものと同様に操作部、コネクタなどを取り付けることができる。
【００２９】
請求項１０記載の発明は、請求項３記載の投写型映像表示装置において、冷却空気温度が高くなったときに、冷却ファン及びエアフィルタの回転速度を増速し、逆に、冷却空気温度が低くなったときに、冷却ファン及びエアフィルタの回転速度を減速するように構成されていることを特徴とする。
【００３０】
このような構成によれば、機外の空気温度が高くなると、冷却空気温度が高くなるため、光学系部品の冷却能力を向上させるため冷却ファンの回転数を増速させるのが好ましいが、この場合にエアフィルタに付着する塵埃が増加する。そこで、冷却ファンの回転数の増加に合わせてエアフィルタの回転数を増加させれば、エアフィルタに付着して滞留する塵埃を軽減することができる。
【発明の効果】
【００３１】
本発明に係る投写型映像表示装置によれば、機内側に設けられた仕切壁により、吸気口から取り入れられた冷却空気がエアフィルタの排気側へバイパスされることが防止され、また、光学系部品を冷却した後の冷却空気は、この仕切壁によりエアフィルタの吸気側へのバイパスが防止されて排気口に案内される。また、このように冷却空気を流通させるとともにエアフィルタを回転させることにより、エアフィルタの吸気側では、冷却空気中の塵埃が捕捉され、エアフィルタの排気側では、先の吸気側で捕捉された塵埃が除去される。したがって、エアフィルタの吸気側には塵埃が除去された清掃後のフィルタ部分を供給することができ、エアフィルタの目詰まりを防止することができる。
【図面の簡単な説明】
【００３２】
【図１】本発明の実施の形態に係る投写型映像表示装置の外観斜視図である。
【図２】同投写型映像表示装置における光学系部品とエアフィルタの位置関係を示した模式平面図である。
【図３】同投写型映像表示装置における光学系部品とエアフィルタの位置関係を示した右側面図である。
【図４】同投写型映像表示装置の底面図である。
【図５】同投写型映像表示装置における冷却空気の模式流れ図である。
【図６】本発明の変形例に係る投写型映像表示装置における冷却空気の模式流れ図である。
【図７】同じく他の変形例に係る投写型映像表示装置の底面図である。
【図８】同じく更なる他の変形例に係る投写型映像表示装置における光学系部品とエアフィルタの位置関係を示した右側面図である。
【図９】同投写型映像表示装置の底面図である。
【図１０】同じく更なる他の変形例に係る投写型映像表示装置の底面図である。
【図１１】同じく更なる他の変形例に係る投写型映像表示装置におけるエアフィルタの斜視図である。
【発明を実施するための形態】
【００３３】
以下、本発明を具体化した実施の形態１に係る投写型映像表示装置について、図面を参照しながら説明する。なお、本明細書において、投写型映像表示装置の前後方向、左右方向、及び上下方向をいうときは、図１等に示した方向をいうものとする。
【００３４】
本実施の形態に係る投写型映像表示装置は、３板式液晶投写型映像表示装置であって、図１に示すように、略直方体形状の本体１を備えている。本体１の内部には、概ね、図２に示されるように光学系２が配置されている。光学系２は、次のように区分される。すなわち、均一に分布された光を出射する照明光学系３、出射された光を色分離する色分離光学系４、色分離された光を光変調する変調光学系５、変調された光を合成して映像光を生成する合成光学系６、映像光をスクリーン等の投写面に投写する投写レンズ７に大きく区分される。
【００３５】
これら光学系について、その概略を説明する。
照明光学系３は、４個の光源ランプ３１が組み合わされ、４個の全反射レンズ３２により合成されている。合成された光は、インテグレータレンズ３３、偏光変換素子３４、コンデンサーレンズ３５を経て色分離光学系４の第１のダイクロイックミラー４１へ入射される。
【００３６】
色分離光学系４に入射された光は、第１のダイクロイックミラー４１、第２のダイクロイックミラー４２を経て赤色光成分、緑色光成分、青色光成分に分離されて変調光学系５に入射される。なお、色分離光学系には、ダイクロイックミラー４１，４２以外に、全反射ミラー４３，４４，４５等が設けられている。
【００３７】
変調光学系５は、赤色光成分を光変調する液晶光変調装置５１、緑色光成分を光変調する液晶光変調装置５２、青色光成分を光変調する液晶光変調装置５３から構成されている。また、これら液晶光変調装置は、入射側偏光板、液晶パネル、出射側偏光板などの光学系部品により形成されている。
【００３８】
合成光学系６は、クロスダイクロイックプリズムからなるもので、各液晶光変調装置５１，５２，５３において変調された赤色光、緑色光、青色光を合成する。
投写レンズ７は、映像光を投写面に投写する複数のレンズ群からなるものである。
【００３９】
上記光学系部品のうち、光源ランプ３１は、発熱量が大きく、常に冷却することが必要である。また、液晶光変調装置５１．５２，５３を構成する入射側偏光板、液晶パネル、出射側偏光板や、照明光学系３の偏光変換素子３４は、光源ランプ３１からの発熱に起因して特性が劣化する恐れがある。このために、従来のものと同様に、本実施の形態に係る投写型映像表示装置では、図示省略しているが、吸気ファン及び排気ファンからなる冷却ファンを使用して、機外空気を冷却空気として吸入し、上述の光学系部品を冷却している。
【００４０】
また、機外空気を冷却空気として吸入する場合には、機外空気に含まれる塵埃がそのまま機内に持ち込まれるのを防止するため、本実施の形態に係る投写型映像表示装置では、従来のものと同様に、冷却空気中の塵埃を除去するようにしている。
【００４１】
このために、本実施の形態に係る投写型映像表示装置では、図３及び図４に示すように、本体１の底面に半円形の開口部からなる吸気口１１と排気口１２を設け、両者を直線部分で隣接するように設けている、なお、この隣接部分には境界部を成す細長の面部が形成されている。また、本体１の底面の外表面側には、吸気口１１と排気口１２とに連通するように両者に跨って対面するように、空気通過面を円形としたエアフィルタ８が配置されている。なお、エアフィルタ８の底面からの突出寸法を小さくするために、本実施の形態においては、底面に窪みを形成し、この窪みを成す底面部分に吸気口１１と排気口１２が形成されている。また、エアフィルタ８は、半分この窪みに嵌められた状態で、底面の外表面に取り付けられている。
【００４２】
エアフィルタ８は、一般に巻き取り式エアフィルタに使用されているようなシート状のフィルタエレメントのみを濾過材としたものでもよい。また、エアフィルタ８は、このようなシート状のフィルタエレメントをプレフィルタとし、その機内側に、静電気を帯電する繊維により形成された静電フィルタやウレタンにより形成されたウレタンフィルタを積層して、平面形状に形成された濾過材としたものでもよい。
【００４３】
このエアフィルタ８は、機内側に設けられた電動モータ８１（図３参照）により、投写運転中及び投写運転終了後の光学系部品を冷却するクーリング運転中に、エアフィルタ８を上面から見て反時計方向Ｒ（図２及び図４参照）に向けて回転できるように構成されている。
【００４４】
なお、投写型映像表示装置の底面には、レベル調整用の支持脚１４が４隅に取り付けられている。この支持脚１４により、エアフィルタ８と水平の設置面との間には、冷却空気を吸気又は排気できるスペースが確保されている。
【００４５】
また、機内における吸気口１１及び排気口１２の境界部には、図２及び図３に示すように、本体１内の吸気口１１及び排気口１２付近を、エアフィルタ８の吸気側８ａと排気側８ｂとに仕切る、直線状の仕切壁１３が設けられている。この仕切壁１３は、この実施の形態においては、本体１の底面と光学系２との間に設けられている。なお、この仕切壁１３は、電動モータ８１との干渉を避けるために、電動モータ８１と重なる箇所は切断されているが、概ね左右に横切るように配置されている。
【００４６】
また、図２に示すように、このように仕切壁１３により仕切られたエアフィルタ８の吸気側８ａの上方部には光学系２の変調光学系５が配置され、また、仕切壁１３により仕切られたエアフィルタ８の排気側８ｂの上方部には光学系２の照明光学系３が配置されている。また、エアフィルタ８の外側には、図３及び図４に示すように、エアフィルタ８の吸気側８ａと排気側８ｂとを仕切る、直線状の仕切壁１５が設けられている。この仕切壁１５は、エアフィルタ８及び本体１の底板を挟んで機内側の仕切壁１３と対向するように配置されている。
【００４７】
なお、図示省略されているが、エアフィルタ８の吸気側８ａを介して吸入された冷却空気は、変調光学系５を効率よく冷却するために、従来公知のようにダクトにより変調光学系５を構成する光学系部品の近傍に搬送され、ノズルからこれら部品の冷却面に吹き付けられている。
【００４８】
次に、本発明の実施の形態に係る投写型映像表示装置の動作について説明する。
以上のように構成された本実施の形態に係る投写型映像表示装置によれば、電源スイッチが投入されると、光源ランプ３１が点灯され、図示しない吸気ファン及び排気ファンからなる冷却ファンの運転が開始されて、投写運転が開始される。また、空気通過面を円形とするエアフィルタ８が、上面から見て反時計方向Ｒに連続的に回転される。
【００４９】
そして、冷却ファンが運転されることにより、冷却空気としての機外空気がエアフィルタ８の吸気側８ａを介して吸気口１１から吸入される。この投写型映像表示装置が水平の設置面に設置されている場合は、本体１の底面と設置面との間から図５に示す空気流れＦ１のように吸入される。底面から吸入された冷却空気は、仕切壁１３により排気口側へのバイパスが防止され、前述のように従来のものと同様にダクト等を利用して冷却ファンにより変調光学系５の光学系部品を冷却するように送風される。また、このように変調光学系５の光学部品を冷却した冷却空気は、空気流れＦ２に示すように機内に放出された後、光学系２の上部等を通過して照明光学系３の方向に流通される。ここで、冷却空気は、偏光変換素子３４（図２参照）や光源ランプ３１等の照明光学系３の光学系部品の冷却に供されている。
【００５０】
そして、偏光変換素子３４や光源ランプ３１等の光学系部品の冷却に供された空気は、冷却ファンを構成する排気ファン（図示せず）の送風作用を受けるとともに、仕切壁１３により吸気口側へのバイパスが防止されてエアフィルタ８の排気側８ｂに向けて案内される。この冷却空気は、排気口１２から空気流れＦ３のようにエアフィルタ８の排気側８ｂを通過して底面から排気される。このとき、エアフィルタ８の機外側に、エアフィルタ８の吸気側８ａと排気側８ｂとを仕切る仕切壁１５が設けられているので、エアフィルタ８の排気側８ｂから排気される空気が、吸気側８ａにバイパスされる量が軽減される。
【００５１】
また、冷却空気がこのように送風される一方で、電動モータ８１によりエアフィルタ８が、図２に示すように上面側から見て反時計方向Ｒに回転される。したがって、吸気口１１から吸入される冷却空気は、エアフィルタ８の吸気側８ａにおいて塵埃が濾過材に捕捉され、清浄な空気となって機内に取り入れられる。また、エアフィルタ８の吸気側８ａで濾過材に捕捉された塵埃は、エアフィルタ８の回転に伴いエアフィルタ８の排気側８ｂに移動し、排気の風圧により濾過材から機外へ吹き飛ばされる。これにより、エアフィルタ８の吸気側８ａに移動する濾過材は、連続的に清掃された状態となって供給される。
【００５２】
本実施の形態に係る投写型映像表示装置は、以上のように構成されているので、次のような効果を奏することができる。
（１）空気通過面を円形とするエアフィルタ８においては、吸気側８ａで、機内に吸い込まれる冷却空気中の塵埃が濾過材により捕捉され、排気側８ｂで、排気の風圧によりエアフィルタ８の濾過材に付着している塵埃が機外へ吹き飛ばされる。したがって、エアフィルタ８を円形の空気通過面の中心を回転中心として回転させることにより、エアフィルタ８の吸気側には、塵埃の除去された清掃後のフィルタ部分が供給されるので、塵埃によるエアフィルタ８の目詰まりが防止される。
【００５３】
（２）エアフィルタ８の吸気側８ａを介し吸気口１１から吸入された空気、すなわち、冷却空気は、機内側に設けられた仕切壁１３によりエアフィルタ８の排気側８ｂへのバイパスが防止され、ダクト等を利用して光学系部品を冷却するように送風される。また、光学系部品を冷却した後の冷却空気は、仕切壁１３によりエアフィルタ８の吸気側８ａへのバイパスが防止されて排気口１２に案内される。このように機内におけるエアフィルタ８の吸気側８ａと排気側８ｂとの間のバイパスがないので、冷却空気が光学系部品を冷却するように円滑に循環される。
【００５４】
（３）エアフィルタ８の機外側に、エアフィルタ８の吸気側８ａと排気側８ｂとを仕切る仕切壁１５が設けられているので、エアフィルタ８の排気側８ｂから排気される空気が、エアフィルタ８の吸気側８ａにバイパスされる量が軽減される。したがって、冷却空気の温度を機外空気の温度に近付けることができ、効率よく光学系部品を冷却することができる。
【００５５】
（４）エアフィルタ８は、冷却空気により光学系部品が冷却されている間は、連続的に回転するように構成されているので、エアフィルタ８の吸気側８ａには、塵埃が除去された清掃後のフィルタ部分が連続的に供給される。これにより、エアフィルタ８の目詰まりが防止されるとともに、冷却空気中に含まれる塵埃が効率よく除去される。また、エアフィルタ８の清掃のための時間、手間が大きく軽減される。
【００５６】
（５）吸気口１１及び排気口１２が本体１の底面に形成されていることにより、当該投写型映像表示装置が水平な設置面に設置されている場合に、機外空気が底面側から吸入されるとともに、機内空気が底面側へ排出されるように形成されている。したがって、吸気口１１、排気口１２及びエアフィルタ８を大きくすることができる。また、上面、側面などには従来のものと同様に操作部、コネクタなどを取り付けることができる。
【００５７】
（変形例）
本発明は、前記実施の形態に限定されるものではなく、本発明の趣旨に基づいて種々の設計変更をすることが可能であり、それらを本発明の範囲から除外するものではない。例えば、前記実施の形態を以下のように変更してもよく、また、これら変更を適宜組合わせてもよい。
【００５８】
・前記実施の形態においては、エアフィルタ８は、窪んだ底面の外表面に設けられていたが、このような窪みを形成せずに、底面の機内側表面に取り付けるようにしてもよい。
・また、前記実施の形態においては、エアフィルタ８は、窪んだ底面の外表面に設けられていたが、吸気口１１と排気口１２とを一体化した円形の開口部とし、この開口部に対しエアフィルタ８を外部から内部へ貫通するように取り付け、仕切壁１３を、エアフィルタ８の上面と光学系２との間を生めるように形成してもよい。この場合、吸気口１１と排気口１２とは形状的には分離されていないが、仕切壁１３が設けられていることにより、実質的に区分されている。なお、この場合においても、エアフィルタ８の下面と設置面との間の寸法を大きくする場合には、前記実施の形態の場合と同様に窪みを設けてもよい。
【００５９】
・前記実施の形態においては、排気口１２が底面のみに設けられていたが、排気口１２の空気抵抗が大きくなり勝ちであることに鑑み、この排気口１２以外に図６に記載しているような空気流れＦ４，Ｆ５を生じさせる補助排気口１２ａ，１２ｂを設けてもよい。以下この点についてさらに説明する。
【００６０】
空気流れＦ４は、エアフィルタ８の機内側表面に衝突した空気の内の一部を側方に流して排気する空気流れを示すものであって、この排気は側方に設けられた補助排気口１２ａから排気される。また、空気流れＦ５は、単に、排気口１２の大きさを補助する意味で側面に補助排気口１２ｂを設けたものである。
【００６１】
したがって、この変形例によれば、前述の（１）〜（５）の効果に加えて次の効果を奏することができる。
（６）一般に排気口１２は、排気ファンの吹出側に形成されており、排気口１２における空気抵抗が大きくなっている。また、前記実施の形態においては、エアフィルタ８を設ける都合上、排気口１２はその大きさに制限を受ける。しかし、この変形例のように補助排気口１２ａ，１２ｂを設けると、これにより排気口１２の大きさの不足を容易に解消することができる。
【００６２】
（７）また、空気流れＦ４を形成するような補助排気口１２ａを設けた場合には、補助排気口１２ａから排気される空気の風圧をもエアフィルタ８の排気側８ｂにおける塵埃の除去に利用することができる。これにより、排気抵抗を減少させながら塵埃除去効率を向上させることができる。
【００６３】
・なお、この変形例においては、二つの補助排気口１２ａ，１２ｂを設けているが、いずれか一方のみを設けるようにしてもよい。
・また、前記実施の形態においては、吸気口１１及び排気口１２は、同一の大きさの半円状に形成され、これに合わせてエアフィルタ８の吸気側８ａ及び排気側８ｂを同一の大きさの半円状としていたが、このような区分けとせずに吸気口１１と排気口１２の大きさを変更してもよい。図７は、その一例を示したものであって、吸気口１１に比し排気口１２を小さくしたものであって、排気口１２をＶ字状にしている。また、吸気口１１及び排気口１２の大きさに対応させてエアフィルタ８の吸気側８ａ及び排気側８ｂを変更するとともに、エアフィルタ８の機外側に設ける仕切壁１５もＶ字状としている。なお、このように、排気口１２を小さくする場合は、排気口１２の空気抵抗の増大を防ぐために、前述の補助排気口１２ａ，１２ｂを設けるのが好ましい。また、このようにすると、吸気口１１及び排気口１２の空気抵抗を軽減することができる。
【００６４】
・また、このような補助排気口１２ａ，１２ｂを設けずに、排気ファンをエアフィルタ８の排気側の機外側に設けるようにしてもよい。ただし、これはエアフィルタ８の排気側の機外側に排気ファンを配置するスペースを確保する必要がある。
【００６５】
・前記実施の形態においては、エアフィルタ８は投写運転中及び投写運転終了後の光学系部品を冷却するクーリング運転中に継続して回転するように構成されていたが、これを投写運転停止後の光学系部品を冷却するクーリング運転時のみに運転するようにしてもよい。
【００６６】
このような変形例によれば、前述の（１）〜（３）及び（５）の効果に加えて次の効果を奏することができる。
（８）投写型映像表示装置の投写運転終了毎にエアフィルタ８の吸気側８ａを清掃した状態とすることができるので、投写運転中のエアフィルタ８の目詰まりを減少させることができる。また、投写運転中にエアフィルタ８を回転させる必要がないので、投写運転中の騒音を抑制することができる。
【００６７】
(変形例)
・前記実施の形態においては、エアフィルタ８は投写運転中及び投写運転終了後の光学系部品を冷却するクーリング運転中に継続して回転するように構成されていたが、これを、冷却空気により光学系部品を冷却する運転が一定時間経過する毎に、１８０度ずつ回転するように構成するようにしてもよい。
【００６８】
このような変形例によれば、前述の（１）〜（３）及び（５）の効果に加えて次の効果を奏することができる。
（９）エアフィルタ８を、一定時間毎に実質的に清掃された状態とすることができるので、投写運転中のエアフィルタ８の目詰まりを減少させることができる。また、エアフィルタ８を常時回転させることがないので、エネルギーを節約することができる。
【００６９】
・また、この変形例のような場合において、前述の実施の形態のように電動モータ８１を回転動力として使用しないで、手動により回転させるようにしてもよい。
・また、前記実施の形態においては、エアフィルタ８の排気側８ｂにおける塵埃の除去は、排気の風圧のみで塵埃を吹き飛ばすようにしていたが、この吹き飛ばしによる塵埃除去効果を向上させるために、固定ブラシ８２による掻き取り効果を付加するようにしてもよい。具体的には、図８及び図９に示すように、エアフィルタ８が回転されたときにエアフィルタ８の排気側８ｂの濾過材に付着している塵埃を掻き取ることができるように、仕切壁１５の左方の大部分に直線状の固定ブラシ８２を設ける。この固定ブラシ８２は、例えば、細長い板状の基部のエアフィルタ側表面に毛部材が植えつけられたようなものであって、仕切壁１５を利用して取り付けられている。このようにすれば、排気の風圧で除去されなかった塵埃が、この固定ブラシ８２の毛部材により掻き取られる。
【００７０】
このように構成すれば、前述の（１）〜（５）の効果に加えて次の効果を奏することができる。
（１０）排気の風圧のみによっては除去することが難しいような塵埃も固定ブラシ８２による掻き取りと、排気の風圧とが合体されることにより、除去することができる。また、固定ブラシ８２を仕切壁１５の部分に取り付けるので、取り付けが容易になる。
【００７１】
・なお、この変形例において、固定ブラシ８２の位置は、吸気側８ａと排気側８ｂとの境界部とせずに、図１０に示すように、エアフィルタ８の排気側８ｂの中間部に設置するようにしてもよい。
【００７２】
・また、このように固定ブラシ８２を、エアフィルタ８の排気側８ｂの中間部に設置するようにした場合には、定期的に又は非定期的に適宜の間隔をもってエアフィルタ８の回転方向を逆転するようにしてもよい。
【００７３】
このように構成すれば、前述の（１）〜（５）及び（１０）の効果に加えて、次の効果を奏することができる。
（１１）エアフィルタ８が一定方向にのみ回転されていると、固定ブラシ８２の毛先がエアフィルタ８の回転方向に傾斜する癖が付けられ、使用時間が長期化するにつれ塵埃掻き取り作用が低下するという問題が生じる。しかし、エアフィルタ８を一定方向にのみ回転させずに、適宜逆転させることによりこのような問題を軽減することができる。
【００７４】
・また、上記のように、固定ブラシ８２を取り付けた場合においては、エアフィルタ８から除去される塵埃が増加したり、大きな塊となって落下したりすることも考えられるが、このような場合の対策として、大きな空気抵抗とならない程度の塵埃受けを着脱自在に取り付けるようにしてもよい。
【００７５】
・前記実施の形態においては、吸気口１１、排気口１２、及びエアフィルタ８が底面に設けられていたが、これを上面、左右側面などの他の面に配置するようにしてもよい。
・前記実施の形態におけるエアフィルタ８は、シート状又は平面形状のものとしていたが、フィルタエレメントをプリーツ状として実効面積を大きくしたものとしてもよい。
【００７６】
このエアフィルタ８は、例えば、図１１に示すように、環状の外枠８５の中にプリーツ状のフィルタエレメント８６が組み込まれたものである。外枠８５は、金属や樹脂で構成され、フィルタエレメント８６は、紙や不織布等の繊維質の材料で構成されたものである。
【００７７】
・前記実施の形態において、冷却空気温度が高くなったときに、冷却ファン及びエアフィルタ８の回転速度を増速し、逆に、冷却空気温度が低くなったときに、冷却ファン及びエアフィルタ８の回転速度を減速するようにてもよい。冷却空気温度が高い場合には、光学系部品の冷却能力を向上させるため冷却ファンの回転数を増速させるのが好ましいが、この場合にエアフィルタ８に付着する塵埃が増加する。そこで、冷却ファンの回転数の増加に合わせてエアフィルタ８の回転数を増加させることにより、エアフィルタ８に付着して滞留する塵埃を軽減することができる。
【００７８】
・本発明は種々の投写型映像表示装置に適用できる。例えば、先の実施の形態においては、３板式液晶プロジェクタを示したが、他の映像光生成系を備えた投写型映像表示装置や、ＤＬＰ（Digital Light Processingの略であって、テキサス・インスツルメント（TI社）の登録商標）方式のプロジェクタなどに本発明を適用することもできる。
【符号の説明】
【００７９】
１…本体、８…エアフィルタ、８ａ…（エアフィルタの）吸気側、８ｂ…（エアフィルタの）排気側、１１…吸気口、１２…排気口、１２ａ，１２ｂ…補助排気口、１３，１５…仕切壁、８２…固定ブラシ。
【図１】
2013088478.tif 000003
【図２】
2013088478.tif 000004
【図３】
2013088478.tif 000005
【図４】
2013088478.tif 000006
【図５】
2013088478.tif 000007
【図６】
2013088478.tif 000008
【図７】
2013088478.tif 000009
【図８】
2013088478.tif 000010
【図９】
2013088478.tif 000011
【図１０】
2013088478.tif 000012
【図１１】
2013088478.tif 000013